(57)【要約】【課題】応答感度を可変とした応答器、及び当該応答器と質問器とからなる通信システムを提供する。【解決手段】応答器２０は、「装着状態」と「非装着状態」とによって質問器１０に対する応答感度が変化する。質問器１０は、非装着状態のプレート２が配置されている配置場所の付近で搬送波を送信することにより、非装着状態のプレート２の数量を認識することができる。また、上記配置場所から離れた位置で搬送波を送信することにより、装着状態のプレート２の数量を認識することができる。【選択図】図４
2010277451.tif 000002
【特許請求の範囲】
【請求項１】
ＲＦタグを内蔵し、かつ所定の対象物に装着可能なプレートであって、
前記プレートは、前記対象物に装着するための２つの端子を有する導電性の取付部材を有し、
前記ＲＦタグは、前記対象物への装着状態及び非装着状態のいずれにおいても、質問器からの搬送波に対して同一の識別情報で応答することができ、
前記取付部材の２つの端子は、前記装着状態または前記非装着状態のいずれかの状態においてのみ接触し、
前記ＲＦタグは、前記２つの端子が接触しているか否かに応じて、前記質問器に対する応答感度が変化する、
ことを特徴とするＲＦタグを内蔵したプレート。
【請求項２】
前記ＲＦタグは、共振回路を有し、
前記共振回路のインピーダンスは、前記２つの端子が接触しているか否かに応じて変化し、
前記プレートが前記対象物に装着されている場合に前記共振回路の共振周波数が前記質問器からの搬送波の周波数と等しくなるように、前記インピーダンスが変化する、
ことを特徴とする請求項１のＲＦタグを内蔵したプレート。
【請求項３】
前記ＲＦタグは、共振回路を有し、
前記共振回路のインピーダンスは、前記２つの端子が接触しているか否かに応じて変化し、
前記プレートが前記対象物に装着されていない場合に前記共振回路の共振周波数が前記質問器からの搬送波の周波数とは異なるように、前記インピーダンスが変化する、
ことを特徴とする請求項１または２のＲＦタグを内蔵したプレート。
【請求項４】
質問器とＲＦタグをそれぞれ内蔵した複数のプレートとからなる通信システムであって、
前記各プレートは、所定の対象物に装着可能であり、
前記各プレートは、前記対象物に装着するための２つの端子を有する導電性の取付部材を有し、
前記ＲＦタグは、前記対象物への装着状態及び非装着状態のいずれにおいても、質問器からの搬送波に対して同一の変調波で応答することができ、
前記識別情報は、ＲＦタグごとに異なり、
前記取付部材の２つの端子は、前記装着状態または前記非装着状態のいずれかの状態においてのみ接触し、
前記ＲＦタグは、前記２つの端子が接触しているか否かに応じて、前記質問器に対する応答感度が変化し、
一方、前記質問器は、前記各プレートが前記対象物に装着されていない状態のときに、前記搬送波を送信し、当該搬送波に応答した識別情報の数量をカウントすることで、前記プレートの数量を認識する、
ことを特徴とする通信システム。
【発明の詳細な説明】
【技術分野】
【０００１】
本発明は、ＲＦタグを利用したプレート及び通信システムに関するものである。
【背景技術】
【０００２】
現在、ＲＦタグを用いた通信技術が様々な分野や用途に応用されている。例えば、下記特許文献１には、宴会場や結婚式場のような広い空間で用いられるカラオケ装置であって、各ユーザが所持するＲＦタグから送信される情報に基いて再生順序を制御するものが開示されている。
【先行技術文献】
【特許文献】
【０００３】
【特許文献１】特開２００９−５３３４４号公報
【発明の概要】
【発明が解決しようとする課題】
【０００４】
ところで、上記特許文献１のように各ユーザがＲＦタグを装着することを前提とするシステムを構築する場合、ＲＦタグを装着しているユーザの数のみならず、予め準備したＲＦタグの数量を認識したいという要望がある。例えば、上記特許文献１においては、宴会に参加する各ユーザはそれぞれＲＦタグを保持することになるが、宴会の幹事は、当該宴会の開始前に、宴会の参加予定者数分だけＲＦタグが準備されているかどうか確認（認識）したいという要望がある。
【０００５】
この点、各ユーザがＲＦタグを装着する際に当該ＲＦタグの動作をＯＮとするように構成して、質問器からの搬送波に応答したＲＦタグの数量をカウントすることで、ＲＦタグを装着しているユーザの数を把握することができる。しかしながら、このように構成すると、装着されていないＲＦタグは動作しなくなるため、予め準備したＲＦタグの数量（すなわち、装着されていないＲＦタグの数量）を認識したいという要望を満たすことはできない。
【課題を解決するための手段】
【０００６】
上記目的を達成するために、請求項１に係る発明は、ＲＦタグを内蔵し、かつ所定の対象物に装着可能なプレートであって、前記プレートは、前記対象物に装着するための２つの端子を有する導電性の取付部材を有し、前記ＲＦタグは、前記対象物への装着状態及び非装着状態のいずれにおいても、質問器からの搬送波に対して同一の識別情報で応答することができ、前記取付部材の２つの端子は、前記装着状態または前記非装着状態のいずれかの状態においてのみ接触し、前記ＲＦタグは、前記２つの端子が接触しているか否かに応じて、前記質問器に対する応答感度が変化することを特徴とする。。
【０００７】
また、請求項２に係る発明は、請求項１のＲＦタグを内蔵したプレートであって、前記ＲＦタグは、共振回路を有し、前記共振回路のインピーダンスは、前記２つの端子が接触しているか否かに応じて変化し、前記プレートが前記対象物に装着されている場合に前記共振回路の共振周波数が前記質問器からの搬送波の周波数と等しくなるように、前記インピーダンスが変化することを特徴とする。
【０００８】
また、請求項３に係る発明は、請求項１または２のＲＦタグを内蔵したプレートであって、前記ＲＦタグは、共振回路を有し、前記共振回路のインピーダンスは、前記２つの端子が接触しているか否かに応じて変化し、前記プレートが前記対象物に装着されていない場合に前記共振回路の共振周波数が前記質問器からの搬送波の周波数とは異なるように、前記インピーダンスが変化することを特徴とする。
【０００９】
また、請求項４に係る発明は、質問器とＲＦタグをそれぞれ内蔵した複数のプレートとからなる通信システムであって、前記各プレートは、所定の対象物に装着可能であり、前記各プレートは、前記対象物に装着するための２つの端子を有する導電性の取付部材を有し、前記ＲＦタグは、前記対象物への装着状態及び非装着状態のいずれにおいても、質問器からの搬送波に対して同一の反射波で応答することができ、前記識別情報は、ＲＦタグごとに異なり、前記取付部材の２つの端子は、前記装着状態または前記非装着状態のいずれかの状態においてのみ接触し、前記ＲＦタグは、前記２つの端子が接触しているか否かに応じて、前記質問器に対する応答感度が変化し、一方、前記質問器は、前記各プレートが前記対象物に装着されていない状態のときに、前記搬送波を送信し、当該搬送波に応答した識別情報の数量をカウントすることで、前記プレートの数量を認識することを特徴とする。
【発明の効果】
【００１０】
請求項１に係る発明によれば、所定の対象物への装着状態及び非装着状態のいずれの状態であっても質問器からの搬送波に対して同一の識別情報で応答することができ、しかも装着状態と非装着状態とで前記質問器に対する応答感度が変化するように構成したので、本発明のプレートを、例えば、ＲＦタグを装着しているユーザの数（ユーザに装着されているＲＦタグの数量）及び装着されていないＲＦタグの数量を認識する通信システムに用いることができる。
なお、本発明のプレートの用途は、上記通信システムに限らず、種々のシステム等に用いることができる。
【００１１】
また、請求項２に係る発明によれば、前記対象物に装着されている場合に前記共振回路の共振周波数が前記質問器からの搬送波の周波数と等しくなるように、前記インピーダンスが変化するので、対象物への装着状態では、質問器からの搬送波によって誘起される起電力が大きくなるので、質問器から離れた場所であっても応答することができる。
【００１２】
また、請求項３に係る発明によれば、前記対象物に装着されていない場合に前記共振回路の共振周波数が前記質問器からの搬送波の周波数とは異なるように、前記インピーダンスが変化するので、対象物への非装着状態では、質問器からの搬送波によって誘起される起電力が小さくなるので、質問器から近い場所においてのみ応答することができる。
【００１３】
また、請求項４に係る発明によれば、ＲＦタグを内蔵したプレートは対象物への装着状態及び非装着状態のいずれの状態であっても質問器からの搬送波に対して同一の識別情報で応答することができ、しかも装着状態と非装着状態とで前記質問器に対する応答感度が変化するように構成し、さらに、質問器は、前記各プレートが前記対象物に装着されていない状態のときに、前記搬送波を送信し、当該搬送波に応答した識別情報の数量をカウントすることで、前記プレートの数量を認識するように構成したので、本発明を、例えば、ＲＦタグを装着しているユーザの数（ユーザに装着されているＲＦタグの数量）及び装着されていないＲＦタグの数量を認識する通信システムに用いることができる。具体的には、例えば、特許第４１４８２３４号の（図１２）などで示された、ＲＦタグ毎に識別情報と応答タイミングを異なるものにしておけば、同一の搬送波で、複数の異なる識別情報と数量を識別することができる。
【図面の簡単な説明】
【００１４】
【図１】本発明の実施形態に係る通信システムの概略を示す説明図である。
【図２】図１のＲＦリーダのブロック図である。
【図３】図１のプレートの外観図である。
【図４】図１のプレートの外観図である。
【図５】図１の応答器のブロック図である。
【図６】共振周波数及び距離と起電力との関係を示すグラフである。
【図７】図５の共振回路の回路図である。
【図８】図１のプレート２の交信範囲を示す説明図である。
【図９】図１のプレート２の交信範囲を示す説明図である。
【図１０】事前数量確認処理及び装着状態認識処理のフローチャートである。
【図１１】その他の実施形態のプレートの構成を示す説明図である。
【発明を実施するための形態】
【００１５】
以下、本発明の実施形態に係る通信システムについて説明する。以下では、本実施形態の通信システムを、宴会場２００内に設置されたコマンダ２０１とリモコン２０２とマイク２０３を有するカラオケシステムに適用した例に基いて、当該通信システムを具体的に説明する。
また、以下では、プレートを装着する対象物を「ユーザの衣服」として説明を行うが、当該対象物は、どのようなものでもよく、例えば、出荷前の種々の商品や店舗内の種々の商品とすることができ、本実施形態の通信システムは、種々のシステムに適用することができる。
【００１６】
［１．通信システムの概要］
本実施形態に係る通信システムは、図１に示すように、宴会場内において、質問器１０を内蔵したＲＦリーダ１と、ＲＦタグと呼ばれる応答器２０をそれぞれ内蔵した複数のプレート２Ａ、２Ｂ、２Ｃ、・・・とから構成されている（以下、複数のプレートを総称して「プレート２」ということがある。）。また、各プレート２は、宴会場２００の入口付近に設置されたテーブル２０４上に配置され、宴会に参加するユーザは、テーブル２０４上のプレート２の１つを衣服に装着して当該宴会に参加する。また、宴会から退席するユーザは、プレート２を衣服からはずしてテーブル２０４に返して当該宴会から退席する。
【００１７】
また、各応答器２０は、質問器１０から送信された搬送波に応答して該応答器２０に固有のＩＤ信号（識別情報）を重畳した変調波を出力する。質問器１０は、受信したＩＤ信号の種類をカウントすることにより、応答した応答器２０の数量を認識することができる。また、応答器２０は、当該応答器２０を内蔵しているプレート２（応答器２０）がユーザの衣服に装着されている「装着状態」と、当該衣服に装着されていない「非装着状態」とで、質問器１０に対する応答感度（すなわち、質問器１０との交信距離）が異なるように構成されている。
【００１８】
図１（Ａ）は、テーブル２０４上に複数のプレート２Ａ、２Ｂ、２Ｃ、・・・が「非装着状態」で配置され、かつ、マイク２０３に内蔵されたＲＦリーダ１（質問器１０）がテーブル２０４付近に位置している状態を示している。
この状態において、質問器１０が搬送波を送信すると、各プレート２Ａ、２Ｂ、２Ｃ、…の各応答器２０は当該搬送波に応答して、ＩＤ信号を重畳した変調波を出力する。
【００１９】
一方、図１（Ｂ）は、プレート２Ｂがユーザに装着されて「装着状態」となり、テーブル２０４から離れて位置し、かつ、マイク２０３が内蔵されたＲＦリーダ１（質問器１０）がテーブル２０４から離れて位置している状態を示している。
この状態において、質問器１０が搬送波を送信すると、各プレート２Ａ、２Ｃ、…は当該質問器１０の交信距離外にあるので応答しないが、プレート２Ｂは「装着状態」なので応答感度が高くなり（すなわち、交信距離が長くなり）、プレート２Ｂの応答器２０のみが質問器１０に応答して、ＩＤ信号を重畳した変調波を出力する。
【００２０】
したがって、本実施形態の通信システムでは、各応答器２０は「装着状態」と「非装着状態」とで質問器１０に対する応答感度が異なるので、ＲＦリーダ１に内蔵された質問器１０は、テーブル２０４の付近に位置している状態で搬送波を送信すれば、当該質問器１０付近に位置するプレート２の数量を認識することができ、一方、テーブル２０４から離れている状態で搬送波を送信すれば、「装着状態」にあるプレート２の数量を認識することができる。
【００２１】
これにより、本実施形態の通信システムによれば、宴会場２００において、宴会の開始前に、当該宴会の参加予定者数分だけプレート２が準備されているかを確認することができ、また、宴会の途中で、「装着状態」のプレート２の数量を認識することで、宴会に参加していないユーザや宴会途中で退席したユーザの数を認識することができる。
【００２２】
［２．通信システムの具体的な構成］
次に、本実施形態の通信システムの具体的な構成について説明する。なお、本通信システムは、一例として上述のようにカラオケシステムに適用されるものであるが、カラオケシステムが有するコマンダ２０１、リモコン２０２、マイク２０３の基本的構成等は、公知のカラオケシステムと同様のものを用いることができ、本発明の理解に直接関係のない部分であるので詳細な説明を省略する。
【００２３】
［２−１．ＲＦリーダの構成］  
まず、ＲＦリーダ１の具体的構成について説明する。
ＲＦリーダ１は、図２に示すように、応答器２０に対して搬送波を送信し当該応答器２０からの応答信号を受信する質問器１０と、当該質問器１０を制御し、かつ当該質問器１０と情報の送受信を行う制御部１８とから構成されている。
【００２４】
質問器１０は、電波発信回路１１と、受信回路１２と、電波発信回路１１及び受信回路１２を切り替えるリレー１７と、共振回路１５とから構成されている。共振回路１５は、コンデンサ１３とコイル１４の並列接続ＬＣ回路となっており、共振回路１５から搬送波が発信されるようになっている。また、受信回路１２が応答器２０からの変調波から識別情報を検出して、制御部１８に情報を出力するように構成されている。
【００２５】
制御部１８は、プロセッサ４１とＲＯＭ４２とＲＡＭ４３とから構成されており、互いにバスで接続されている。プロセッサ４１はＲＯＭ４２に記憶された各種プログラムを読み出して実行する。また、ＲＡＭ４３には、応答器２０から受信した識別情報やプレートの数量等を一時的に記憶する。また、制御部１８は、質問器１０から取得した応答器２０の識別情報に基いて、テーブル２０４上に配置されているプレート２の数量や、「装着状態」のプレート２の数量などを認識することができる。なお、制御部１８で実行される具体的な処理については後述する。
【００２６】
［２−２．プレートの構成］
【００２７】
次に、プレート２の具体的な構成について説明する。
プレート２は、図３に示すように、プレート本体部４と、プレート本体部４内に収納される名札６と、プレート本体部４の後部に配設され挟持部８Ａ及び挟持部８Ｂを有するクリップ８と、挟持部８Ａ及び挟持部８Ｂと接続されている応答器２０とから構成されている。プレート２は、いわゆるネームプレートであり、ユーザの名前等が名札６に記載されており、プレート２とユーザとは予め対応付けられているものとする。また、クリップ８は、取付部材として機能する。
なお、図３は「非装着状態」を示しており、挟持部８Ａと挟持部８Ｂとが接触している。
【００２８】
クリップ８の挟持部８Ａと挟持部８Ｂは、導電性の物質（例えば、８Ａは電線、８Ｂは導電樹脂やステンレス製の接点など）で構成され、それぞれは応答器２０が具備する後述のコイル３２の両端と接続しており、挟持部８Ａと挟持部８Ｂの接触／非接触を、当該コイル３２の短絡／非短絡に対応させている。したがって、クリップ８のうち挟持部８Ａと挟持部８Ｂ以外の少なくとも一部分は絶縁体（例えば、プラスチック樹脂など）で構成され、挟持部８Ａと挟持部８Ｂとが接触していない状態では挟持部８Ａと挟持部８Ｂとが導通しないように構成されている。
【００２９】
図４は、プレート２がユーザの衣服の胸ポケット９に装着された状態（「装着状態」）を示している。この状態では、挟持部８Ａと挟持部８Ｂとの間に胸ポケット９が挟まれることにより、挟持部８Ａと挟持部８Ｂとが接触しなくなる。
すなわち、プレート２は、ユーザに装着されていない場合には、挟持部８Ａと挟持部８Ｂとが接触する「非装着状態」となり、一方、ユーザに装着されている場合には、挟持部８Ａと挟持部８Ｂとが接触しない「装着状態」となる。なお、図４における装着状態は単なる一例であり、プレート２の装着位置は適宜選択可能である。
【００３０】
［３．応答器の具体的構成］
次に、プレート２に内蔵される応答器２０の具体的な構成について説明する。
応答器２０は、図５に示すように、共振回路２１と、受信した電波を整流するダイオード２６と、ダイオード２６で整流された電流を蓄える電源２７と、当該応答器２０に固有の識別情報を記憶し当該情報を示すＩＤ信号を発生するＩＤ信号発生回路２８と、共振回路２１で受信された電波にＩＤ信号を重畳して変調波を生成する送信回路２５とから構成され、共振回路２１から変調波を質問器１０に送信するように構成されている。また、共振回路２１は、コイル部２２とコンデンサ２３とからなる並列接続ＬＣ回路からなる。
【００３１】
ここで、変調波を送信するためには応答器２０内部に所定量以上の電力を必要し、共振回路２１によって起電した起電力が所定量以上のときに、応答器２０は変調波を送信することができる。すなわち、共振回路２１によって起電した起電力が所定量以上のときに、応答器２０は質問器１０に応答することができる。
【００３２】
次に、起電力の大きさについて具体的に説明する。
図６（Ａ）は、共振回路２１の共振周波数と共振回路２１によって起電する起電力との関係を示している。図６（Ａ）に示すように、共振回路２１の共振周波数が、質問器１０の搬送周波数（ωc）と等しい場合に起電力が最も大きくなり、共振周波数が搬送周波数から離れるにつれて、起電力が小さくなる。
一方、図６（Ｂ）は、質問器１０からの距離と共振回路２１によって起電する起電力との関係を示している。図６（Ｂ）に示すように、応答器２０が質問器１０から離れるにつれて、起電力が小さくなる。
すなわち、共振回路２１の共振周波数を変化させることにより、応答器２０の交信距離を変化させることができる。
【００３３】
本実施形態では、共振回路２１のコイル部２２のインダクタンス（すなわち、共振回路２１のインピーダンス）を変化させることにより、応答器２０の交信距離を変化させている。
以下、共振回路２１のコイル部２２の具体的構成について説明する。
図７に示すように、コイル部２２は、コイル３１と、当該コイル３１に直列に接続されたコイル３２と、当該コイル３２の両端に接続されたスイッチ部３３とから構成されている。また、スイッチ部３３は、端子３３Ａと端子３３Ｂを有し、各端子はそれぞれ挟持部８Ａと挟持部８Ｂとに接続している。
【００３４】
図７（Ａ）は、「非装着状態」における共振回路２１を示している。非装着状態では、図３に示したように挟持部８Ａと挟持部８Ｂとが接触するので、端子３３Ａと端子３３Ｂとが導通し、コイル３２が短絡する。したがって、この状態における共振回路２１の共振周波数（ωs）は、コイル３１のインダクタンスをＬ１、コンデンサ２３の静電容量をＣとすれば、以下の式で表される。
【００３５】
【数１】
2010277451.tif 000003
【００３６】
一方、図７（Ｂ）は、「装着状態」における共振回路２１を示している。装着状態では、図４に示したように挟持部８Ａと挟持部８Ｂとが接触しないので、端子３３Ａと端子３３Ｂとは導通しない。したがって、この状態における共振回路２１の共振周波数（ωo）は、コイル３１のインダクタンスをＬ１、コイル３２のインダクタンスをＬ２、コンデンサ２３の静電容量をＣとすれば、以下の式で表される。
【００３７】
【数２】
2010277451.tif 000004
となる。
【００３８】
そして、「装着状態」の共振回路２１の共振周波数（ωo）が質問器１０の搬送周波数（ωc）と等しくなるように、コイル３１のインダクタンスＬ１とコイル３２のインダクタンスＬ２とコンデンサ２３の静電容量Ｃとを設定することで、共振回路２１を「装着状態」において最も起電力が大きくなるように構成することができ、「装着状態」において交信距離を最も長くなるように構成することができる。
【００３９】
次に、プレート２の状態と交信範囲との関係について具体的に説明する。
「非装着状態」ではＬ２は短絡状態（Ｌ２＝０）であるから、共振周波数（ωｓ）は（ωo）よりも高い周波数（＋ｆ）側に移動しており、共振回路２１の共振周波数と質問器１０の搬送周波数とが異なっているので、質問器１０からの電波を受信した場合の共振回路２１両端の起電力（ダイオード２６の検波出力よって、電源２７に供給できる電力）は小さくなるので、送信回路２５が動作に必要な電力を得られる範囲が小さくなる。
つまり、応答器２０の交信範囲は狭くなり、その交信範囲は、例えば、当該応答器２０が配置されているテーブル２０４周辺のみとなる（図８参照）。したがって、質問器１０がテーブル２０４付近に位置している場合のみ、テーブル２０４上の応答器２０は質問器１０に応答することができる。
一方、「装着状態」では、共振回路２１の共振周波数と質問器１０の搬送周波数とが等しいので、応答器２０の交信範囲は、質問器１０の搬送周波数と共振回路２１の共振周波数が等しくない場合よりも広くなり、その交信範囲は、例えば、宴会場２００全体となる（図９参照）。したがって、質問器１０が宴会場２００のいずれの場所に位置していても、応答器２０は質問器１０に応答することができる。
また、このように構成することにより、応答器２０は、「装着状態」及び「非装着状態」のいずれにおいても、質問器１０からの搬送波に対して応答することができる。また、応答器２０は、「装着状態」と「非装着状態」とによって出力する識別情報を変更しないので、「装着状態」及び「非装着状態」のいずれにおいても、同一の識別情報で応答する。
【００４０】
したがって、宴会の開始前に、質問器１０がテーブル２０４付近で搬送波を送信することにより、テーブル２０４上の「非装着状態」の全てのプレート２の応答器２０が応答するので、準備されたプレート２の数量を認識することができる。また、宴会の途中で、質問器１０がテーブル２０４から離れた位置で搬送波を送信することにより、「装着状態」のプレート２の数量を認識することができる。また、「装着状態」と「非装着状態」との切替にスイッチ等を必要としないので、構造を簡略化することができ、かつ、ユーザはプレート２を装着するのみで特別な操作の必要がない。
【００４１】
［４．ＲＦリーダで実行される処理］
次に、ＲＦリーダ１で実行される処理について具体的に説明する。本実施形態では、ＲＦリーダ１は、宴会の開始前に実行される事前数量確認処理と、宴会の途中に実行される装着状態認識処理の２つの処理を実行する。各処理は、制御部１８のＲＯＭ４２内に記憶されており、プロセッサ４１によって実行される。
【００４２】
［４−１．事前数量確認処理］
まず、事前数量確認処理について図１０のフローチャートを参照しつつ説明する。事前数量確認処理は、ＲＦリーダ１がテーブル２０４周辺に位置する状態で実行される。
Ｓ１１において、制御部１８は、プレート２の必要数量を取得する。この数量は宴会の参加予定人数であり、予めＲＡＭ４３に記憶していてもよく、所定の入力手段を介して取得してもよい。
Ｓ１２において、制御部１８は、質問器１０のリレー１７を送信側（すなわち、電波発信回路１１側）に切り替える。
Ｓ１３において、制御部１８は、質問器１０の電波発信回路１１を制御して搬送波を送信する。
Ｓ１４において、制御部１８は、質問器１０のリレー１７を受信側（すなわち、受信回路１２側）に切り替える。
Ｓ１５において、制御部１８は、質問器１０が受信した応答器２０の識別情報を取得し、ＲＡＭ４３に記憶する。
Ｓ１６において、制御部１８は、ＲＡＭ４３に記憶された識別情報の数量をカウントすることで、応答した応答器２０（プレート２）の数量を算出し、ＲＡＭ４３に記憶する。このＳ１６で算出されたプレート２の数量は、テーブル２０４上に配置（準備）されたプレート２の数量を意味する（以下、この数量を「配置数量」ということがある。）。
Ｓ１７において、制御部１８は、Ｓ１１で取得したプレート２の必要数量とＳ１６で算出したプレート２の配置数量とを比較する。
Ｓ１８において、制御部１８は、Ｓ１７の比較結果を、所定のプロセスや所定のデバイスに出力する。この比較結果には、プレート２が宴会の参加予定人数分だけ準備されているか否かを示す情報が含まれている。
【００４３】
以上の処理により、宴会の開始前に、プレート２が宴会の参加予定人数分だけ準備されているか否かを認識することができるので、テーブル２０４上のプレート２を数える手間をなくすことができる。
また、Ｓ１１において準備すべき各プレート２の識別情報をＲＡＭ４３に記憶するように構成し、Ｓ１６においてＲＡＭ４３に記憶された識別情報と比較することで、どのプレート２が準備されていないかについても認識することができる。
【００４４】
［４−２．装着状態認識処理］
次に、装着状態認識処理について図１０のフローチャートを参照しつつ説明する。装着状態認識処理は、ＲＦリーダ１がテーブル２０４から離れて位置する状態で実行される。
Ｓ２１において、制御部１８は、プレート２の配置数量を取得する。この数量は、前述の事前数量確認処理においてＲＡＭ４３に記憶されている。
Ｓ２２において、制御部１８は、質問器１０のリレー１７を送信側（すなわち、電波発信回路１１側）に切り替える。
Ｓ２３において、制御部１８は、質問器１０の電波発信回路１１を制御して搬送波を送信する。
Ｓ２４において、制御部１８は、質問器１０のリレー１７を受信側（すなわち、受信回路１２側）に切り替える。
Ｓ２５において、制御部１８は、質問器１０が受信した応答器２０の識別情報を取得し、ＲＡＭ４３に記憶する。
Ｓ２６において、制御部１８は、ＲＡＭ４３に記憶された識別情報の数量をカウントすることで、応答した応答器２０（プレート２）の数量を算出する。このＳ２６で算出されたプレート２の数量は、「装着状態」にあるプレート２の数量を意味する。
Ｓ２７において、制御部１８は、Ｓ２１で取得した配置数量とＳ２６で算出したプレート２の数量とを比較する。両数量が一致した場合は、宴会の参加予定者が全員参加していることを意味し、Ｓ２６で算出したプレート２の数量の方が少ない場合は、宴会の参加予定者のうち参加していない人（または、退席した人）がいることを意味する。
Ｓ２８において、制御部１８は、Ｓ２７の比較結果を、所定のプロセスや所定のデバイスに出力する。
【００４５】
以上の処理により、宴会の途中において、現在の参加人数を容易に認識することができる。また、Ｓ２７において、Ｓ２６で算出したプレート２の数量の方が少ない場合にどの識別情報のプレート２が「非装着状態」になったかを認識することで、宴会に参加していない人を特定することができる。
また、この装着状態認識処理を所定の間隔で複数回行う場合、前回の装着状態認識処理で認識することができた識別情報が今回の装着状態認識処理では認識することができなかったときは、当該認識することができなかった識別情報に対応するユーザは宴会の途中で退席したことを意味する。そして、この情報をコマンダ２０１が用いることにより、ユーザがコマンダ２０１にカラオケ楽曲の予約を行っていた場合には、コマンダ２０１は当該予約を取り消すための処理を行うことができる。
【００４６】
以上説明したとおり、本実施形態の通信システムでは、応答器２０は、「装着状態」と「非装着状態」とによって質問器１０に対する応答感度が変化する。質問器１０は、「非装着状態」のプレート２が配置されている配置場所の付近で搬送波を送信することにより、非装着状態のプレート２の数量を認識することができる。また、上記配置場所から離れた位置で搬送波を送信することにより、装着状態のプレート２の数量を認識することができる。
【００４７】
本発明は上述した実施形態に限定されるものではなく、本発明の要旨を逸脱しない範囲内で種々の改良、変形が可能であることはいうまでもない。
【００４８】
例えば、前述の事前数量確認処理を宴会の終了後に行うことにより、プレート２を外し忘れて退席したユーザを容易に把握することができるので、終了後のプレート２の回収を円滑に行うことができる。
【００４９】
例えば、上述した実施形態においては、コイル部２２とコンデンサ１３とを並列に接続して、コイル部２２のインダクタンス特性を変化させる構成にしたが、コンデンサ１３のキャパシタンス特性を変化させる構成にしてもよい。具体的には、コンデンサ１３を２つに分けて（例えば、Ｌ１に対しＣ１、Ｌ２に対しＣ２）直列に接続し、挟持部８ＡによるＬ２の短絡と開放の作用の代わりに、挟持部８ＡによるＣ２の短絡と開放の作用とすればよい。
「装着状態」におけるコンデンサ１３のキャパシタンス容量は（１／（１／Ｃ１＋１／Ｃ２））となり、以下に示す「非装着状態」のキャパシタンス容量Ｃ１よりも小さい。なお、このときの共振周波数（ωo）で質問器１０は質問（搬送波を送信）するものとする。
そして、「非装着状態」でＣ２は短絡状態となるから、コンデンサ１３のキャパシタンス容量はＣ１となりこのときの共振周波数（ωｓ）は（ωo）よりも低い周波数（−ｆ）側へ移動する。この場合、コイル部２２の特性の変化が共振周波数が（＋ｆ）側へ移動する場合とは移動する方向が異なるが、いずれも共振周波数（ωo）の感度特性が低くなる方向へ変化する点においては同様な作用となる（図６（Ａ）参照）。
【００５０】
また、上述した実施形態においては、マイク２０３にＲＦリーダ１を内蔵したが、リモコン２０２にＲＦリーダ１を内蔵してもよい。また、ＲＦリーダ１の機能を有する専用のデバイスを用いてもよい。
【００５１】
また、上述した実施形態においては、プレート２の取付部材をクリップ８によって実現したが、図１１に示すように、クリップ８の代わりに、プレート２の後側に配設した安全ピン５０を用いてもよい。この場合、安全ピン５０のピン先５１がピン収納部５２に収納されていない状態を「非装着状態」とし、ピン先５１がピン収納部５２に収納されている状態を「装着状態」とすることができる。そして、ピン先５１とピン収納部５２とは、それぞれ端子３３Ａと端子３３Ｂとに対応するが、「装着状態」のときはピン先５１とピン収納部５２とが接触しコイル３２が短絡することになるので、上記（式１）における共振回路２１の共振周波数（ωs）が質問器１０の搬送周波数（ωc）と等しくなるように、コイル３１のインダクタンスＬ１及びコンデンサ２３の静電容量Ｃを設定する必要がある。また、プレート２をテーブル２０４に配置しているときには、ピン先５１とピン収納部５２とが接触しないようにする。
【００５２】
また、上述した各フローチャートは単なる一例であり、該各フローチャートの処理と同等の結果を得ることができるものであれば、他のフローチャートによって処理を実現してもよい。また、上述した各方法、当該方法をコンピュータに実行させるためのプログラム、当該プログラムを記録した記録媒体等としても本発明は実現可能である。
【符号の説明】
【００５３】
１０…質問器、１８…制御部
２０…応答器、８…クリップ、８Ａ…挟持部、８Ｂ…挟持部、２１…共振回路
【図１】
2010277451.tif 000005
【図２】
2010277451.tif 000006
【図３】
2010277451.tif 000007
【図４】
2010277451.tif 000008
【図５】
2010277451.tif 000009
【図６】
2010277451.tif 000010
【図７】
2010277451.tif 000011
【図８】
2010277451.tif 000012
【図９】
2010277451.tif 000013
【図１０】
2010277451.tif 000014
【図１１】
2010277451.tif 000015